(57)【特許請求の範囲】
【請求項１】
前側に遊技領域が設けられる遊技盤と、前記遊技盤の裏側に配設され、該遊技盤に設けた可視部を介して図柄を変動表示可能な表示部を前側に臨ませた図柄表示装置と、動作により演出を行なう可動演出装置とを備えた遊技機において、
前記可動演出装置は、
前記遊技盤の盤面に沿う方向に移動可能に配設され、駆動手段の駆動によって前記可視部の縁部側で第１位置および第２位置との間を直線的に往復移動する可動部材と、
前記可動部材に、遊技盤の盤面に沿う方向で該可動部材の移動方向と直交する方向に移動可能に配設された作動部材と、
前記可動部材に形成され、前記作動部材の移動方向に延在しつつ可動部材の移動方向に屈曲する揺動用溝と、
前記作動部材に対して前記可動部材の移動方向の前後に揺動可能に枢支された可動体と、
前記可動体に設けられ、前記揺動用溝に遊挿する揺動ピンと、
前記作動部材に連繋し、前記可動部材の移動に伴って前記可動体が、可動部材が移動する可視部の縁部から前記表示部の前側に向けて進退するよう作動部材を可動部材の移動方向と直交する方向に移動させる作動機構とを備え、
前記作動機構は、前記可動部材が移動可能に配設された装置本体に形成されて該可動部材の移動方向と交差するように屈曲する案内溝と、前記作動部材に設けられて前記案内溝に移動可能に係合する係合ピンとを有し、
前記可動部材の移動に伴って係合ピンが案内溝に沿って移動することで、前記作動部材が可動部材の移動方向と直交する方向に移動すると共に、前記作動部材が可動部材の移動方向と直交する方向に移動する際に前記揺動ピンが揺動用溝に沿って移動することで、前記可動体が揺動するよう構成され、
前記案内溝および揺動用溝の夫々は、当該案内溝の屈曲部を係合ピンが移動する際に揺動用溝の屈曲部を揺動ピンが移動するよう形成された
ことを特徴とする遊技機。
【請求項２】
前記案内溝は、前記可動部材の第１位置で前記係合ピンが係合する一端部に対して可動部材の第２位置で係合ピンが係合する他端部が、作動部材の移動方向において表示部側に近接するよう形成されると共に、該案内溝の途中には作動部材の移動方向において表示部から離間する方向に変位する段部が形成されている請求項１記載の遊技機。
【請求項３】
前記案内溝には複数の前記段部が形成されると共に、各段部における作動部材の移動方向において表示部から最も離間する端部の位置は、案内溝の一端側から他端側に向かう順で表示部に近接するように設定した請求項２記載の遊技機。
【請求項４】
前記可動部材には、前記遊技盤の盤面に沿う方向で該可動部材の移動方向と直交する方向に突出すると共に、長手方向に延在する案内通路が画成された腕部が設けられ、
前記作動部材は、前記腕部の案内通路に摺動可能に挿通されると共に当該腕部の突出端部から延出し、当該可動体に内部画成された収容室内において腕部の突出端部から延出する端部に前記可動体が揺動可能に配設され、
前記可動体に設けられた揺動ピンが前記可動体の収容室内に位置するよう設けられると共に、前記収容室に前記腕部の突出端部が挿入されて、該腕部において前記収容室内に位置するよう設けられた前記揺動用溝に前記揺動ピンが当該収容室内で遊挿され、
前記作動部材の移動に伴って前記収容室内で前記揺動ピンが揺動用溝を移動することで、前記可動体が揺動するよう構成された請求項２または３記載の遊技機。
【発明の詳細な説明】
【技術分野】
【０００１】
この発明は、動作により演出を行なう可動演出装置を備えた遊技機に関するものである。
【背景技術】
【０００２】
代表的な遊技機であるパチンコ機は、機内にセットされる遊技盤の盤面に画成した遊技領域の略中央位置に枠状の枠状装飾部材(所謂センター役物)が配設されて、該枠状装飾部材の開口部から液晶式やドラム式等の図柄表示装置を臨ませ、この図柄表示装置で図柄変動演出やリーチ演出等の遊技演出を行なうよう構成されている。また、パチンコ機では、所要の動作を行なう可動体を備えた可動演出装置を枠状装飾部材に配設し、該可動体を図柄表示装置で行なわれる遊技演出に合わせて動作させることにより、視覚的な演出効果を向上させて遊技の興趣を高めている(例えば、特許文献１参照)。
【０００３】
特許文献１に開示のパチンコ機では、枠状装飾部材の上部に、第１の駆動モータの駆動によって上下方向に移動する回転装飾部材が設けられている。この回転装飾部材の内部には、発光ランプおよび反射板として機能する回転体が配設されており、回転装飾部材に配設した第２の駆動モータの駆動によって回転体を回転することで、発光ランプの光を所定方向に反射させるようになっている。すなわち、回転装飾部材は、発光しつつ上下方向に移動する遊技演出を行ない得るよう構成されている。
【先行技術文献】
【特許文献】
【０００４】
【特許文献１】特開２００９−２３３２０９号公報
【発明の概要】
【発明が解決しようとする課題】
【０００５】
しかしながら、特許文献１では、回転装飾部材を上下方向に移動させる第１の駆動モータと、回転体を回転させる第２の駆動モータとが別個に必要とされる。すなわち、夫々の可動体(回転装飾部材および回転体)に対応して駆動源が設けられているので、部品点数が多くなって製造コストが嵩む問題を招く。また、特許文献１では、第２の駆動モータを内蔵した回転装飾部材を上下移動させる必要があるため、出力の大きな第１の駆動モータが必要となって、ランニングコストが高騰する要因となる。
すなわち、本発明は、従来技術に係る遊技機に内在する前記問題に鑑み、これらを好適に解決するべく提案されたものであって、単一の駆動手段で可動体に複数の動作を行なわせ得る遊技機を提供することを目的とする。
【課題を解決するための手段】
【０００６】
前記課題を克服し、所期の目的を達成するため、本願の請求項１に係る発明は、
前側に遊技領域(17a)が設けられる遊技盤(17)と、前記遊技盤(17)の裏側に配設され、該遊技盤(17)に設けた可視部(24a)を介して図柄を変動表示可能な表示部(13a)を前側に臨ませた図柄表示装置(13)と、動作により演出を行なう可動演出装置(31)とを備えた遊技機において、
前記可動演出装置(31)は、
前記遊技盤(17)の盤面に沿う方向に移動可能に配設され、駆動手段(35)の駆動によって前記可視部(24a)の縁部側で第１位置および第２位置との間を直線的に往復移動する可動部材(33)と、
前記可動部材(33)に、遊技盤(17)の盤面に沿う方向で該可動部材(33)の移動方向と直交する方向に移動可能に配設された作動部材(47)と、
前記可動部材(33)に形成され、前記作動部材(47)の移動方向に延在しつつ可動部材(33)の移動方向に屈曲する揺動用溝(52)と、
前記作動部材(47)に対して前記可動部材(33)の移動方向の前後に揺動可能に枢支された可動体(34)と、
前記可動体(34)に設けられ、前記揺動用溝(52)に遊挿する揺動ピン(61)と、
前記作動部材(47)に連繋し、前記可動部材(33)の移動に伴って前記可動体(34)が、可動部材(33)が移動する可視部(24a)の縁部から前記表示部(13a)の前側に向けて進退するよう作動部材(47)を可動部材(33)の移動方向と直交する方向に移動させる作動機構(47c,51)とを備え、
前記作動機構は、前記可動部材(33)が移動可能に配設された装置本体(32)に形成されて該可動部材(33)の移動方向と交差するように屈曲する案内溝(51)と、前記作動部材(47)に設けられて前記案内溝(51)に移動可能に係合する係合ピン(47c)とを有し、
前記可動部材(33)の移動に伴って係合ピン(47c)が案内溝(51)に沿って移動することで、前記作動部材(47)が可動部材(33)の移動方向と直交する方向に移動すると共に、前記作動部材(47)が可動部材(33)の移動方向と直交する方向に移動する際に前記揺動ピン(61)が揺動用溝(52)に沿って移動することで、前記可動体(34)が揺動するよう構成され、
前記案内溝(51)および揺動用溝(52)の夫々は、当該案内溝(51)の屈曲部を係合ピン(47c)が移動する際に揺動用溝(52)の屈曲部を揺動ピン(61)が移動するよう形成されたことを要旨とする。
請求項１に係る発明によれば、単一の駆動手段で可動体に複数の動作を行なわせることができ、興趣のある演出を少ない部品で実施し得ると共に、製造コストを低廉にし得る。また、駆動手段によって動作する部材に別の駆動手段を配設する必要はないから軽量化することができ、駆動手段の負荷軽減を図り、ランニングコストを低減し得る。更に、可動体が、遊技盤における可視部の縁部側を可動部材と共に移動しつつ、該可動体が表示部の前側に向けて縁部から進退移動するので、可動体の動作による演出と表示部での表示演出とによって更に演出効果を向上し得る。
更にまた、係合ピンと案内溝との簡易な構成の作動機構により可動体を移動し得るので、構造を簡略化して製造コストを低廉に抑えることができ、可動体を確実に揺動させ得ると共に、可動体の動きを制御して意図しない動きによって該可動体が他部材と干渉するのを防止し得る。
【０００７】
請求項２に係る発明では、前記案内溝(51)は、前記可動部材(33)の第１位置で前記係合ピン(47c)が係合する一端部に対して可動部材(33)の第２位置で係合ピン(47c)が係合する他端部が、作動部材(47)の移動方向において表示部(13a)側に近接するよう形成されると共に、該案内溝(51)の途中には作動部材(47)の移動方向において表示部(13a)から離間する方向に変位する段部(51c,51e)が形成されていることを要旨とする。
請求項２に係る発明によれば、係合ピンが案内溝の段部を通過する際に可動体の動作に変化を与えることができ、演出効果を向上し得る。
【０００８】
請求項３に係る発明では、前記案内溝(51)には複数の前記段部(51c,51e)が形成されると共に、各段部(51c,51e)における作動部材(47)の移動方向において表示部(13a)から最も離間する端部の位置は、案内溝(51)の一端側から他端側に向かう順で表示部(13a)に近接するように設定したことを要旨とする。
請求項３に係る発明によれば、係合ピンが案内溝に沿って移動する間に、可動体の動作を複数回変化させることができ、演出効果をより向上し得る。
【０００９】
請求項４に係る発明では、前記可動部材(33)には、前記遊技盤(17)の盤面に沿う方向で該可動部材(33)の移動方向と直交する方向に突出すると共に、長手方向に延在する案内通路が画成された腕部(41)が設けられ、
前記作動部材(47)は、前記腕部(41)の案内通路に摺動可能に挿通されると共に当該腕部(41)の突出端部から延出し、当該可動体(34)に内部画成された収容室(60)内において腕部(41)の突出端部から延出する端部に前記可動体(34)が揺動可能に配設され、
前記可動体(34)に設けられた揺動ピン(61)が前記可動体(34)の収容室(60)内に位置するよう設けられると共に、前記収容室(60)に前記腕部(41)の突出端部が挿入されて、該腕部(41)において前記収容室(60)内に位置するよう設けられた前記揺動用溝(52)に前記揺動ピン(61)が当該収容室(60)内で遊挿され、
前記作動部材(47)の移動に伴って前記収容室(60)内で前記揺動ピン(61)が揺動用溝(52)を移動することで、前記可動体(34)が揺動するよう構成されたことを要旨とする。
【発明の効果】
【００１１】
本発明に係る遊技機によれば、部品点数や駆動手段への負担を増大することなく可動体に複数の動作を行なわせることができ、演出効果を向上し得る。
【図面の簡単な説明】
【００１２】
【図１】本発明の好適な実施例に係るパチンコ機を示す正面図である。
【図２】実施例に係る遊技盤を、可動体が第１位置にある状態で示す正面図である。
【図３】実施例に係る遊技盤を、可動体が第２位置にある状態で示す正面図である。
【図４】実施例に係る設置部材を、可動体が第１位置にある状態で示す正面図である。
【図５】実施例に係る可動演出装置の要部正面図であって、装置本体および表示部の中央側に移動した可動体を二点鎖線で示している。
【図６】実施例に係る可動演出装置を、図５のＡ−Ａ線で縦断して示す断面図である。
【図７】図５のＢ−Ｂ線断面図である。
【図８】図５のＣ−Ｃ線断面図である。
【図９】実施例に係る可動演出装置における可動体を除く部品を前側から視た分解斜視図である。
【図１０】実施例に係る可動演出装置における可動体を除く部品を後側から視た分解斜視図である。
【図１１】実施例に係る可動演出装置の可動体を前側から視た分解斜視図である。
【図１２】実施例に係る可動演出装置の可動体を後側から視た分解斜視図である。
【発明を実施するための形態】
【００１３】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１４】
(パチンコ機について)
実施例に係るパチンコ機１０は、図１に示すように、矩形枠状に形成されて遊技店の図示しない設置枠台に固定される固定枠としての外枠１１の開口前面側に、後述する遊技盤１７(図２参照)が着脱可能に保持された本体枠としての中枠１２が開閉および着脱可能に組付けられて、該遊技盤１７の裏側に対して、各種図柄を変動表示可能な図柄表示装置１３が着脱し得るよう配設されている。また、中枠１２の前面側には、遊技盤１７を透視保護するガラス板を備えた装飾枠としての前枠１４が開閉可能に組付けられると共に、該前枠１４の下方にパチンコ球を貯留する下球受け皿１５が開閉可能に組付けられる。なお、実施例では、前枠１４の下部位置に、パチンコ球を貯留する上球受け皿１６が一体的に組付けられており、前枠１４の開閉に合わせて上球受け皿１６も一体的に開閉するよう構成される。
【００１５】
(遊技盤について)
前記中枠１２に配設される前記遊技盤１７は、図２に示すように、前面(盤面)にパチンコ球が流下可能な遊技領域１７ａが画成され、合板等の木製からなる平板状の板部材で構成される。遊技盤１７の前面には、円弧状に形成した案内レール１８が配設されると共に、該案内レール１８の右方位置に、左端縁が右方に凹む円弧状に形成した盤面飾り部材１９が配設される。そして、案内レール１８および盤面飾り部材１９により遊技領域１７ａが略円形状に画成され、該遊技領域１７ａに、中枠１２に配設された図示しない打球発射装置から発射されたパチンコ球が遊技領域１７ａ内に打ち出され、該遊技領域１７ａ内をパチンコ球が流下して遊技が行なわれる。また、遊技盤１７の遊技領域１７ａ内には、多数の遊技釘が植設されており、該遊技釘との接触により遊技領域１７ａを流下するパチンコ球の流下方向が不規則に変化するよう構成してある。
【００１６】
前記遊技盤１７には、図１または図２に示す如く、後述する枠状装飾部材２４の下縁より下方位置に、前記遊技領域１７ａを流下するパチンコ球が入賞可能な始動入賞装置２０および特別入賞装置２１が配設される。始動入賞装置２０には、遊技領域１７ａを流下するパチンコ球が入賞可能な始動入賞口２０ａが設けられ、該始動入賞口２０ａへ入賞したパチンコ球が始動入賞センサ(図示せず)で検出されることで、図柄表示装置１３の表示部１３ａで図柄変動が開始されると共に、所定数(例えば５個)のパチンコ球が賞球として前記上下の球受け皿１５,１６に払い出される。特別入賞装置２１は、入賞口２１ａが開閉扉２１ｂで常には閉鎖されており、図柄表示装置１３での図柄変動の結果、表示部１３ａに所定の図柄組み合わせ(例えば同一図柄の三つ揃い等)で図柄が停止表示されることで所謂「大当り」が発生し、これにより開閉扉２１ｂが開放するよう作動制御されて、入賞口２１ａへの入賞により多数の賞球を獲得し得るようになっている。なお、図１および図２の符号２２は、遊技盤１７に配設されて、常に入賞口を上方へを開放している普通入賞装置を示す。また遊技盤１７には、遊技領域１７ａの最下部にアウト口２３が設けられ、前記各入賞装置２０,２１,２２の入賞口２０ａ,２１ａに入賞しなかったパチンコ球をアウト口２３から裏側に排出するよう構成されている。
【００１７】
(枠状装飾部材について)
前記遊技盤１７の中央には、前後に貫通する大型の貫通孔が形成されており、該貫通孔に対して前後に開口する枠状の枠状装飾部材(所謂センター役物)２４が嵌め込まれるように着脱可能に配設される。そして、後述する設置部材２８の開口部２８ａから臨む前記図柄表示装置１３の表示部１３ａは、枠状装飾部材２４における前後に開口する窓口２４ａを介して遊技盤１７の前側に露出して、該図柄表示装置１３の表示部１３ａで展開される図柄変動演出を前側から視認し得るようになっている。なお、図柄表示装置１３における図柄を変動表示可能な表示面の大きさは、枠状装飾部材２４の窓口２４ａの開口寸法より大きいが、実施例では表示面における窓口２４ａから前側に臨んでいる部分を表示部１３ａと指称している。そして、枠状装飾部材２４の窓口２４ａが、図柄表示装置１３の表示部１３ａを前側に臨ませるための遊技盤１７に設けられた可視部となっている。
【００１８】
前記枠状装飾部材２４には、上縁部から左右両縁部に亘り、遊技盤１７の前面より前方に突出する円弧状の庇状部２４ｂが設けられており、前記遊技領域１７ａに打ち出されたパチンコ球を外周部の庇状部２４ｂで案内し得ると共に、該パチンコ球が枠状装飾部材２４の窓口２４ａを横切って流下するのを該庇状部２４ｂで規制している。また枠状装飾部材２４には、図２に示す如く、窓口２４ａの下側に、光透過性の合成樹脂素材で形成されたステージ２５が配設されると共に、窓口２４ａの左側に、遊技領域１７ａに開口して該遊技領域１７ａを流下するパチンコ球を取込んでステージ２５に案内する球導入部２６が設けられ、該球導入部２６からステージ２５に通出されたパチンコ球は、ステージ２５上を左右に転動した後に、前記各入賞装置２０,２１,２２が配設されている遊技領域１７ａに排出される。
【００１９】
前記ステージ２５の後端縁には、左右方向の全長に亘って上側に向けて所定高さで立ち上がる透明壁２７が設けられ、ステージ２５上を転動するパチンコ球が図柄表示装置１３の表示部１３ａ側に移動するのを該透明壁２７で防止している。なお、透明壁２７の上端縁には前方に向けて張出す張出部２７ａが形成されており、該張出部２７ａによって表示部１３ａ側へのパチンコ球の移動を確実に防止し得るようになっている。
【００２０】
(設置部材について)
前記遊技盤１７の裏面には、前記図柄表示装置１３が着脱可能に配設されると共に、後述する可動演出装置３１や複数の発光基板等の遊技部品が配設される合成樹脂材で形成された設置部材２８が配設され、該設置部材２８に形成された前後に開口する開口部２８ａを介して図柄表示装置１３の表示部１３ａを遊技盤１７の前側から視認し得るよう構成されている。実施例では、図４に示す如く、設置部材２８の開口部２８ａは、上辺、下辺、左辺および右辺で画成される略四角形状に開口しており、該開口部２８ａで囲われた図柄表示装置１３の表示面が視認可能な領域とされる。
【００２１】
前記設置部材２８は、前方に開口する矩形箱状に形成された箱状本体２９と、該箱状本体２９の開口前端部に形成されて当該箱状本体２９の開口外側へ延出し、前記遊技盤１７の裏面に当接する取付部３０とから構成される。箱状本体２９は、遊技盤１７に対向する矩形板状に形成されて前記開口部２８ａを形成した対向面部２９ａと、該対向面部２９ａにおける上下左右の各縁部から前方に延出する画壁部２９ｂとから前方に開口するよう形成されて、各画壁部２９ｂの前端部から箱状本体２９の開口外側へ向けて延出するよう前記取付部３０が形成される。そして、取付部３０の前面を遊技盤１７の裏面に当接した状態で、取付部３０を遊技盤１７にねじ止めすることによって遊技盤１７に設置部材２８が固定される。
【００２２】
前記遊技盤１７の裏側に設置部材２８を取付けた状態で、該設置部材２８の対向面部２９ａと遊技盤１７との間に所要の空間が画成される。設置部材２８の対向面部２９ａには、図４に示す如く、下側の対向面部２９ａに可動演出装置３１が配設され、該可動演出装置３１が、設置部材２８と遊技盤１７との間に画成される前記空間に収容される。
【００２３】
(可動演出装置について)
前記可動演出装置３１は、図４〜図６に示す如く、該可動演出装置３１を構成する部材の設置基体となる装置本体３２と、所定の動作を行なう可動部材３３と、この可動部材３３に対して動作可能に配設した可動体３４と、前記可動部材３３を往復動する駆動手段としての駆動モータ３５とから基本的に構成される。装置本体３２は、ベース部材３６およびカバー部材３７とから可動部材３３を移動可能に収容するケース状に構成され、可動演出装置３１は、装置本体３２単位で設置部材２８の対向面部２９ａに対して着脱可能なユニット構造になっている。そして可動演出装置３１は、前記可動体３４を、前記表示部１３ａにおける下辺右側(窓口２４ａの下縁部右側)の第１位置(図２)と、表示部１３ａの中央側に臨む第２位置(図３)との間を往復移動するよう構成される。
【００２４】
(装置本体について)
前記ベース部材３６は、図６,図９に示す如く、設置部材２８の対向面部２９ａに当接する板状部分と、該板状部分の周縁部から前方へ立ち上がる壁部分とから構成された前方に開口する箱状体であって、透明な合成樹脂素材から形成されている。またカバー部材３７は、図６,図１０に示す如く、ベース部材３６の前部開口を被覆可能な板状部分と、該板状部分の周縁部から後方へ立ち上がる壁部分とから構成された後方に開口する箱状体であって、透明な合成樹脂素材から形成されている。そして、ベース部材３６の壁部分にカバー部材３７の壁部分を当接して両部材３６,３７をねじ止め固定することで、前記可動部材３３の可動基部４０(後述)等を収容する空間を画成した前記装置本体３２が構成される。装置本体３２は、遊技盤１７に設置部材２８を配設した状態で、前記枠状装飾部材２４における窓口２４ａの下縁側の裏側で長手が左右方向に延在するよう対向面部２９ａに配設されている。なお、装置本体３２における前記透明壁２７やステージ２５の裏側に対向する前面に、前発光基板３８が配設される(図４参照)。また装置本体３２の前面は、その他各種遊技部品の設置部としても利用されるようになっている。
【００２５】
前記カバー部材３７における板状部分の内面(装置本体３２内に画成される空間側の面)には、図１０に示す如く、前側に凹む前ガイド溝３７ａが左右方向に延在するよう形成されている。またベース部材３６における板状部分の内面(装置本体３２内に画成される空間側の面)には、図９に示す如く、後側に凹む後ガイド溝３６ａが左右方向に延在するよう前ガイド溝３７ａと平行に形成されている。そして、可動部材３３における空間に収容された可動基部４０に配設した後述する第１ローラ４３およびラック部４２が対応する前後のガイド溝３６ａ,３７ａで案内されて、可動部材３３が左右方向に直線的に往復移動するよう構成される。なお、後ガイド溝３６ａを画成する下側の壁は、所要幅で切欠かれ、該切欠部３６ｃ(図９参照)を介して後述する駆動歯車３９の一部が後ガイド溝３６ａの内部に突出可能に構成されている。
【００２６】
前記装置本体３２の上部には、図６および図８に示す如く、ベース部材３６およびカバー部材３７との間に、可動部材３３の後述する腕部４１が挿通される挿通口３２ａが形成される。挿通口３２ａは、前後寸法が腕部４１の前後寸法より若干大きく設定されると共に、左右寸法が腕部４１の左右変位を許容し得る長さに設定され、挿通口３２ａに挿通した腕部４１の左右方向の変位を許容しつつ前後方向のぶれを抑制し得るよう構成される。
【００２７】
(駆動モータについて)
前記ベース部材３６における板状部分の内面には、図９に示す如く、左右方向の略中央で前記後ガイド溝３６ａの形成位置より下側にモータ設置部３６ｂが前側に向けて突出するよう形成されており、該モータ設置部３６ｂに、前記駆動モータ３５が前側から取付けられている。なお、前記カバー部材３７の板状部分には、モータ設置部３６ｂに対応する位置にモータ通孔３７ｂが形成され、該モータ通孔３７ｂを介して駆動モータ３５における制御装置に配線接続されるコネクタが設けられたボトム側が前側に突出可能に構成される。駆動モータ３５の空間内に臨むヘッド側から突出する出力軸に駆動歯車３９が固定され、該駆動歯車３９の一部が、前記後ガイド溝３６ａの壁に設けた切欠部３６ｃを介して後ガイド溝３６ａ内に突出して、該駆動歯車３９が可動部材３３の後述するラック部４２におけるラック歯４２ａに噛合している。すなわち、駆動モータ３５により駆動歯車３９を正転および逆転することで、駆動歯車３９とラック歯４２ａとの噛合作用によって可動部材３３は、前記窓口２４ａの下縁部側を左右方向に直線的に往復移動するよう構成される(図５参照)。
【００２８】
(可動部材について)
前記可動部材３３は、図５,図６,図９,図１０に示す如く、前記装置本体３２に画成した空間に収容可能な寸法で横長に形成された可動基部４０と、該可動基部４０における長手方向の一端部近接(図５の右端部近傍)に形成されて上方に所定長さで突出する腕部４１と、可動基部４０の下端縁に形成されたラック部４２とから基本的に構成される。可動基部４０は、カバー部材３７の板状部分と対向する板状部分と、該板状部分の周縁部から後方へ立上がる壁部分とから構成された後方に開口する箱状に形成されている。また、可動基部４０における板状部分の前面には、左右方向に離間して複数の突起４０ａが突設され、各突起４０ａに回転可能に取付けた第１ローラ４３が、前記カバー部材３７の前記前ガイド溝３７ａに移動可能に挿入されている。また、前記ラック部４２は、可動基部４０の下側の壁部分の下面に複数のラック歯４２ａを左右方向に並設したものであって、該ラック部４２におけるラック歯４２ａが形成されていない上面が、前記ベース部材３６の前記後ガイド溝３６ａにおける上側の壁に摺動可能に支持されている。なお、可動基部４０の板状部分には、突起４０ａの突設位置より上側において左右方向に延在する長孔４０ｂが前後のガイド溝３６ａ,３７ａと平行に形成され、該長孔４０ｂに、前記カバー部材３７の板状部分から内側に突出するよう設けられた案内突部３７ｃが摺動可能に挿入されている。すなわち、可動部材３３は、装置本体３２に収容された可動基部４０が、第１ローラ４３と前ガイド溝３７ａ、ラック部４２と後ガイド溝３６ａおよび長孔４０ｂと案内突部３７ｃとの３箇所で支持されたもとで、前記遊技盤１７の盤面に沿う左右方向に直線的に移動するよう構成される。なお、案内突部３７ｃには、ベース部材３６の前側に配置した前記前発光基板３８を固定するねじが螺挿されるねじ孔が形成されており、該案内突部３７ｃは、ベース部材３６に対して前発光基板３８をねじ止めするための部分としても機能している。
【００２９】
前記腕部４１は、図６,図９および図１０に示す如く、可動基部４０の上面から上方に突出する上下および後方に開口する案内部材４４と、該案内部材４４の後側の開口部を部分的に閉成するよう該案内部材４４にねじ止め固定される支持部材４５と、案内部材４４の前面にねじ止め固定される配線カバー４６とから基本的に構成される。そして、案内部材４４と支持部材４５との間に画成されて上下方向に開口する案内通路に、上端部に可動体３４が動作可能に配設された作動部材４７が摺動可能に挿通されている。案内部材４４の前壁における内面(案内通路側の面)に、上下方向に離間して固定突部４４ａが後方に向けて突設され、各固定突部４４ａに対応して支持部材４５に形成した通孔に挿通したねじを対応する各固定突部４４ａに形成したねじ孔に螺挿することで、支持部材４５が案内部材４４に取付けられる。また、作動部材４７には、上下方向に延在する案内孔４７ａが各固定突部４４ａに対応して形成されており、各固定突部４４ａが対応する案内孔４７ａに挿通された状態で、作動部材４７は、遊技盤１７の盤面(図柄表示装置１３の表示面)に沿う上下方向に直線的に往復移動可能に支持される。
【００３０】
前記案内部材４４の前面に複数の配線係止片４４ｂが設けられ(図９参照)、前記可動体３４の発光基板５４(後述)から導出する後述のフラットケーブル６９を、該配線係止片４４ｂで係止した状態で案内部材４４の前面を上下方向に引き回すよう構成される(図６参照)。前記配線カバー４６は、上下方向に長手が延在する板状部分の周縁部から後方へ壁が立ち上がる後方に開口する箱状に形成されている。また配線カバー４６の上下方向の寸法は、前記可動基部４０の上面からの案内部材４４の突出寸法より長く設定され、該配線カバー４６の上端を案内部材４４の上端と同一レベルに位置して該案内部材４４に配線カバー４６を取付けた状態で、図６に示す如く、配線カバー４６の下端部は可動基部４０の前面、すなわち装置本体３２の内部に位置するようになっている。そして、案内部材４４に配線カバー４６を取付けることで、配線カバー４６の上側の壁と案内部材４４との間、および配線カバー４６の下側の壁と可動基部４０との間でフラットケーブル６９を挟持し、案内部材４４および可動基部４０と配線カバー４６との間を引き回されるフラットケーブル６９が移動するのを規制するよう構成されている。
【００３１】
図５に示す如く、前記装置本体３２の内部には、前記可動部材３３(可動体３４)の位置を検出するフォトセンサ等からなる検知手段４８が配設され、該検知手段４８は、制御装置に電気的に接続されて検知信号が制御装置に入力されるよう構成される。検知手段４８は、該検知手段４８における対向する検知部間を通過するように配置された可動基部４０の検知片４９の有無によって、可動部材３３の位置を検出するようになっている。検知片４９は、可動基部４０の下端部に設けられ、可動部材３３の第１位置において検知片４９が検知手段４８の検知部間に位置するよう設定され(図５参照)、検知手段４８による検知片４９の検知によって第１位置にある可動部材３３を制御装置が確認し得るよう構成される。なお、制御装置は、第１位置の可動部材３３を第２位置に向けて移動する際の駆動モータ３５のステップ数を検出し、該ステップ数に応じて駆動モータ３５を停止したり回転方向を変更することで、可動部材３３を第１位置と第２位置との間で往復移動したり、一旦停止した後に前進または後退等する動作を行ない得るよう構成されている。
【００３２】
(案内溝について)
前記作動部材４７における前記腕部４１の案内通路から上方に延出する上端部には、後方に開口する筒状受部４７ｂが形成され、該筒状受部４７ｂに、前後方向に延在する枢支軸５３を介して前記可動体３４が左右方向(可動部材３３の移動方向の前後)に揺動可能に配設される。また、作動部材４７における腕部４１の案内通路から下方に延出して装置本体３２の内部に位置する下端部には、後方に向けて突出する係合ピン４７ｃが設けられ、該係合ピン４７ｃに回動可能に取付けられた第２ローラ５０が、前記ベース部材３６に形成した案内溝５１に移動可能に挿入されている。この案内溝５１は、図５および図９に示す如く、前記可動部材３３の移動方向である左右方向に対して交差するよう上下方向に傾斜するよう形成される。案内溝５１の形状を更に詳細に説明すれば、該案内溝５１は、可動部材３３の第１位置で前記第２ローラ５０を介して係合ピン４７ｃが係合する図５の右端部(一端部)から左方に向けて水平に延在する第１水平部５１ａと、該第１水平部５１ａの左端部に連設されて左方に向けて上方傾斜する第１上向き傾斜部５１ｂと、該第１上向き傾斜部５１ｂの左端部に連設されて左方に向けて下方傾斜する第１下向き傾斜部５１ｃと、該第１下向き傾斜部５１ｃの左端部に連設されて左方に向けて上方傾斜する第２上向き傾斜部５１ｄと、該第２上向き傾斜部５１ｄの左端部に連設されて左方に向けて下方傾斜する第２下向き傾斜部５１ｅと、該第２下向き傾斜部５１ｅの左端部に連設されて左方に向けて上方傾斜する第３上向き傾斜部５１ｆと、該第３上向き傾斜部５１ｆの左端部に連設されて左方に向けて水平に延在する第２水平部５１ｇとから構成され、可動部材３３の第２位置で第２ローラ５０は第２水平部５１ｇに位置するよう構成される(図５の二点鎖線の状態)。そして、可動部材３３の左右方向への移動により第２ローラ５０が案内溝５１に沿って移動することで、作動部材４７(可動体３４)は各傾斜部５１ｂ,５１ｃ,５１ｄ,５１ｅ,５１ｆの傾斜に応じて上方または下方に移動するようになっている。なお、案内溝５１において第１水平部５１ａが最下位で、第２水平部５１ｇが最上位に位置するよう設定される。
【００３３】
前記案内溝５１における各下向き傾斜部５１ｃ,５１ｅの最下端位置(作動部材４７の移動方向において表示部１３ａから最も離間する端部の位置)は、右端部側(一端部側)のものより左端部側(他端部側)のものが上方(表示部１３ａ側)に位置し、案内溝５１において各下向き傾斜部５１ｃ,５１ｅの最下端位置は、右端部側から左端部側に向かう順で作動部材４７の移動方向において表示部１３ａ(窓口２４ａの下縁部)に近接するよう形成されている。実施例では、各下向き傾斜部５１ｃ,５１ｅが、表示部１３ａから離間する方向に変位する段部として機能している。また、作動部材４７に設けた係合ピン４７ｃと、該係合ピン４７ｃが第２ローラ５０を介して移動可能に係合する案内溝５１とから、作動部材４７(可動体３４)を可動部材３３の移動方向と直交する方向に移動する作動機構が構成される。
【００３４】
(揺動用溝について)
前記支持部材４５の上端部には、図７および図１０に示す如く、後方に開口する揺動用溝５２が形成されている。この揺動用溝５２は、左右方向(可動部材３３の移動方向の前後)に変位しつつ上下方向に延在し、該揺動用溝５２に、前記可動体３４に配設した揺動ピン６１(後述)が遊挿されている。そして、前記作動部材４７が上下移動する際に、揺動ピン６１が揺動用溝５２に沿って移動することで、可動体３４が作動部材４７に対して左右方向に揺動するよう構成される。揺動用溝５２の形状を更に詳細に説明すれば、該揺動用溝５２は、図５に示す如く、下端部(一端部)から上方に向けて鉛直に延在する第１直線部５２ａと、該第１直線部５２ａの上端部に連設されて上方に向かうにつれて左方に向けて上方傾斜する第１傾斜部５２ｂと、該第１傾斜部５２ｂの上端部に連設されて右方に向けて上方傾斜する第２傾斜部５２ｃおよび該第２傾斜部５２ｃの上端部に連設されて上方に向けて鉛直に延在する第２直線部５２ｄとから構成される。そして、作動部材４７の上下方向への移動により揺動ピン６１が揺動用溝５２に沿って移動することで、可動体３４は各傾斜部５２ｂ,５２ｃの傾斜に応じて左右方向に揺動するようになっている。なお、第１直線部５２ａおよび第２直線部５２ｄとは、同一鉛直線上に整列し、各直線部５２ａ,５２ｄに揺動ピン６１が位置している状態で、可動体３４は、後述する発光基板５４が水平姿勢となるよう設定されている。
【００３５】
図５に示す如く、前記第２ローラ５０が案内溝５１における第１水平部５１ａに位置する作動部材４７の最下位置で、前記揺動ピン６１が第１直線部５２ａの最下端部に位置し、第２ローラ５０が案内溝５１における第２水平部５１ｇに位置する作動部材４７の最上位置で、揺動ピン６１が第２直線部５２ｄの最上端部に位置するよう設定される。すなわち、案内溝５１における第１水平部５１ａと第２水平部５１ｇとの高低差は、前記揺動用溝５２における第１直線部５２ａの最下端部と第２直線部５２ｄの最上端部との高低差と同一に設定される。
【００３６】
また、前記作動部材４７の係合ピン４７ｃ(第２ローラ５０)が案内溝５１における第１上向き傾斜部５１ｂを移動する際に、可動体３４の揺動ピン６１が揺動用溝５２における第１傾斜部５２ｂを移動し、作動部材４７の係合ピン４７ｃ(第２ローラ５０)が案内溝５１における第１上向き傾斜部５１ｂと第１下向き傾斜部５１ｃとの連設部(屈曲部)を移動する際に、可動体３４の揺動ピン６１が揺動用溝５２における第１傾斜部５２ｂと第２傾斜部５２ｃとの連設部(屈曲部)を移動し、作動部材４７の係合ピン４７ｃ(第２ローラ５０)が案内溝５１における第２上向き傾斜部５１ｄを移動する際に、可動体３４の揺動ピン６１が揺動用溝５２における第２傾斜部５２ｃを移動し、作動部材４７の係合ピン４７ｃ(第２ローラ５０)が案内溝５１における第２上向き傾斜部５１ｄと第２下向き傾斜部５１ｅとの連設部(屈曲部)を移動する際に、可動体３４の揺動ピン６１が揺動用溝５２における第２傾斜部５２ｃと第２直線部５２ｄとの連設部(屈曲部)を移動するように、案内溝５１と係合ピン４７ｃおよび揺動用溝５２と揺動ピン６１との位置関係が設定されている。この構成により、可動体３４の上下方向の動作の方向が変化する際に左右方向の動作が行なわれ、該可動体３４に興趣のある動きを与え得るようになっている。なお、揺動ピン６１は、後述するスリーブ６１ａを介して揺動用溝５２に対して遊挿されており、前記第１直線部５２ａおよび第２直線部５２ｄを該揺動ピン６１が移動する際においても、可動体３４は僅かではあるが左右方向に揺動可能になっている。
【００３７】
(可動体について)
前記作動部材４７の上端部に枢支軸５３を介して左右方向に揺動可能に配設される前記可動体３４は、パチンコ機のモチーフとなる意匠で形成されたものであって、実施例では飛行体を模した形状に形成されている。また可動体３４は、内部に発光基板５４を備えて、該発光基板５４のＬＥＤ５４ａを発光することで発光演出を行なう発光演出装置としても機能するものである。
【００３８】
前記可動体３４は、図６〜図１２に示す如く、前記作動部材(設置部)４７に取付けられる本体部５５と、該本体部５５の上側に配設される筒状の明輝部材５６と、該明輝部材５６の上側に配設される蓋部材５７と、本体部５５に収容される発光基板５４とから基本的に構成される。本体部５５は、図６〜図８に示す如く、前半体５８と後半体５９とを前後で組合わせて、上方に開口する収容室６０を画成したものであって、本体部５５(前半体５８および後半体５９)は、非光透過性の合成樹脂素材から形成されている。前半体５８の内面には、後半体５９に向けて突出する前記枢支軸５３が配設され、該枢支軸５３が前記作動部材４７の筒状受部４７ｂに挿入されて回転可能に枢支されている。また後半体５９の内面には、前記枢支軸５３の軸心から径方向にずれた位置(実施例では下方にずれた位置)に、前半体５８に向けて突出する前記揺動ピン６１が突設され、該揺動ピン６１が前記揺動用溝５２に遊挿されている。すなわち、可動体３４は、揺動ピン６１が揺動用溝５２の前記傾斜部５２ｂ,５２ｃを移動することで、枢支軸５３を中心として可動体３４の下部が左右方向に変位するように揺動するよう構成されている。なお、作動部材４７に対する可動体３４の枢支軸５３による枢支位置は、該可動体３４の重心位置からずれており、作動部材４７に対して可動体３４が枢支軸５３を中心として容易に揺動可能な構成とされている。また、枢支軸５３および揺動ピン６１には、対応して滑り性の良好な例えばＰＯＭ(ポリアセタール)等の樹脂素材からなるスリーブ５３ａ,６１ａが回動可能に外嵌されて、枢支軸５３はスリーブ５３ａを介して筒状受部４７ｂに回動可能に挿入されると共に、揺動ピン６１はスリーブ６１ａを介して揺動用溝５２に回動可能に遊挿されている。
【００３９】
前後の半体５８,５９の内側上端部には、図１１および図１２に示す如く、前記明輝部材５６に形成したフランジ部６７ａ(後述)を嵌合可能な凹溝５８ａ,５９ａが周方向に延在するよう夫々形成されている。また、後半体５９の下部には切欠部５９ｂが形成され、前記腕部４１の上端部が該切欠部５９ｂを介して収容室６０内に挿入されている。なお、可動体３４が最上位まで移動した状態においても、腕部４１の上端部(作動部材４７が出入りする端部)は収容室６０内に位置して前側から視認されないよう構成される。
【００４０】
前記明輝部材５６は、図１１および図１２に示す如く、前半体部５６ａと後半体部５６ｂとを前後で組合わせることで、上下方向に開口する筒状に形成されている。なお、図１１および図１２では、後半体部５６ｂを前記本体部５５を構成する後半体５９に組付けた状態で示している。そして、前半体部５６ａと後半体部５６ｂとを組合わせて構成された明輝部材５６は、図６および図７に示す如く、上開口６２ａが形成された環状の上取着部６２と、下開口６３ａが形成された環状の下取着部６３とが、外側に向けて膨出する筒状に形成された中間部６４で連設されている。なお、実施例の明輝部材５６は、前半体部５６ａと後半体部５６ｂとを前後で組合わせることで筒状に形成されるものであるが、一体物であってもよい。
【００４１】
前記明輝部材５６は、全体が透明な合成樹脂素材から形成されて、該明輝部材５６の内部および後方を中間部６４を透して視認し得るよう構成されている。実施例では、中間部６４の全体が透明であって、以後の説明において中間部６４を透明部と指称する場合もある。上取着部６２には、上開口６２ａに延出する一対の取付片６２ｂ,６２ｂが形成され、各取付片６２ｂに形成した通孔に挿通したねじを介して上取着部６２の上面に、上開口６２ａを覆うように蓋部材５７が取付けられる。この蓋部材５７の下面(明輝部材５６の内部側に臨む面)には、円盤状に形成された第１反射部材６５が配設されており、上取着部６２に蓋部材５７を取付けた状態で第１反射部材６５が上開口６２ａ内に位置するよう構成される(図６参照)。蓋部材５７は、上開口６２ａより大径で、上取着部６２の上面全体を覆うよう構成されると共に、非光透過性の合成樹脂素材から形成され、上取着部６２の上面から光が洩れるのを防止し得るようになっている。
【００４２】
前記下取着部６３の下面には、図７に示す如く、下開口６３ａの周方向に離間して一対の係合部６６,６６が設けられ、各係合部６６には、内側(下開口６３ａ側)および周方向の一方が開口する差込み溝６６ａが形成されている。両係合部６６,６６の差込み溝６６ａ,６６ａにおける周方向の開口は、同一向きで開口し、前記発光基板５４の後述する各保持片５４ｂを周方向の開口側から受入れて係止保持し得るよう構成される。そして、下取着部６３の下面に発光基板５４が取付けられた状態で、該発光基板５４の上面(ＬＥＤ５４ａが配設される面)が、前記第１反射部材６５から離間して平行に臨むよう設定される。また下取着部６３には、下方に突出する固定壁６７の下端に、径方向外側に延出するフランジ部６７ａが形成されており、前記前後の半体５８,５９の内側上端部に形成した前記凹溝５８ａ,５９ａにフランジ部６７ａを嵌合した状態で前後の半体５８,５９を組付け固定することで、本体部５５に対して明輝部材５６が下取着部６３の下面を本体部上面に当接した状態で取付けられるよう構成される。すなわち、可動体３４は、透明で筒状の透明部６４が、非光透過性の本体部５５および蓋部材５７の外周縁間に沿って延在して、本体部５５と蓋部材５７との間の全周が透明になっている。なお、本体部５５に明輝部材５６を取付けた状態で、図６および図７に示す如く、前記発光基板５４の上面は本体部５５の上端より下側、すなわち収容室６０に収容されるよう構成されて、明輝部材５６の透明部６４を真正面から見た場合には、該透明部６４を透して発光基板５４が見え難くなっている。
【００４３】
前記発光基板５４における第１反射部材６５と対向する上面には、図６および図７に示す如く、該第１反射部材６５に向けて光を照射する複数の発光体としてのＬＥＤ５４ａが配設されている。実施例では、複数のＬＥＤ５４ａが、第１反射部材６５と同心状の所定直径の仮想円上において周方向に離間して配置される。またＬＥＤ５４ａが配置される仮想円の中心は、前記明輝部材５６における透明部６４の中心と一致するよう設定されており、仮想円の中心から各ＬＥＤ５４ａを通る径方向に延びる線上に位置する透明部６４と対応するＬＥＤ５４ａ間の離間距離が同一となるよう構成されている。前記発光基板５４の外周には、図１１および図１２に示す如く、周方向に離間する２箇所に、径方向外側に向けて突出する保持片５４ｂが夫々突設されている。そして、発光基板５４の上面を明輝部材５６の下取着部６３に対向すると共に各保持片５４ｂを対応する係合部６６における周方向の開口側に臨ませた状態で、該発光基板５４を回転して各保持片５４ｂを差込み溝６６ａに差し込んで係合することで、明輝部材５６に発光基板５４が取付けられる。
【００４４】
前記発光基板５４の上面には、各ＬＥＤ５４ａに対応する位置に通孔(露出部)６８ａを形成した円盤状の第２反射部材６８が、各通孔６８ａを介してＬＥＤ５４ａが上側(第１反射部材６５側)に露出する状態で配設される。また第２反射部材６８の下面外周側には、周方向に離間する２箇所に下方に突出する位置決め片６８ｂが設けられ、各位置決め片６８ｂを発光基板５４に対応して形成した凹部５４ｃに位置させることで、発光基板５４と第２反射部材６８との位置決めがなされるようになっている。更に、第２反射部材６８の下面外周側に、周方向に離間して複数の脚部６８ｃが突設され、該脚部６８ｃを発光基板５４の上面に当接した状態で配設されることで、円盤状本体が発光基板５４の上面から脚部６８ｃの高さ離間するよう構成されている(図６,図７参照)。なお、脚部６８ｃの高さは、ＬＥＤ５４ａの高さより長く設定されて、該ＬＥＤ５４ａは第２反射部材６８の下面より下方に位置するようになっている。
【００４５】
前記第２反射部材６８における第１反射部材６５と対向する反射面には、梨地等のシボ加工やダイヤモンドカット等の各種の光拡散処理が施されて、第１反射部材６５から反射した光を拡散させて、前記明輝部材５６における透明部６４の全体を内側から明輝させ得るよう構成される。また、第２反射部材６８を取付けた発光基板５４を明輝部材５６の下取着部６３に取付けた状態で、該第２反射部材６８が下開口６３ａ内に位置するよう設定される。
【００４６】
前記発光基板５４の下面に設けたコネクタ５４ｄにフラットケーブル(配線)６９の一端が接続され、該フラットケーブル６９は、図６に示す如く、本体部５５の内部において前記腕部４１の上端から前記案内部材４４と配線カバー４６との間に引き込まれる。また、フラットケーブル６９は、前記装置本体３２の内部において配線カバー４６の外側に引き出されて、該フラットケーブル６９の他端が、装置本体３２の内部に配設した中継基板７０に接続される。なお、フラットケーブル６９における発光基板５４から腕部４１に引き込まれるまでの長さ(本体部５５の内部に位置する部分の長さ)は、前記可動体３４の上下動および揺動とを許容する寸法に設定されると共に、該フラットケーブル６９における配線カバー４６から引き出されて中継基板７０に接続されるまでの長さ(装置本体３２の内部に位置する部分の長さ)は、前記可動部材３３の左右方向の移動を許容する寸法に設定される。
【００４７】
〔実施例の作用〕
次に、前述した実施例に係るパチンコ機の作用につき説明する。
【００４８】
前記遊技領域１７ａに打ち出されたパチンコ球は、前記枠状装飾部材２４の外周囲を流下し、該パチンコ球が前記球導入部２６に通入すると、該パチンコ球は前記ステージ２５に通出され、該ステージ２５を左右に転動した後に遊技領域１７ａに排出され、このパチンコ球は始動入賞装置２０や普通入賞装置２２等に入賞可能となる。そして、始動入賞装置２０にパチンコ球が入賞すると、前記図柄表示装置１３の図柄が変動開始され、図柄変動演出が展開される。図柄表示装置１３で展開される図柄変動演出の結果、図柄表示装置１３に所定の図柄組合わせで図柄が停止表示されたときに大当りが発生する。そして、大当りが発生すると、図柄表示装置１３に表示された図柄組み合わせに応じて、前記遊技盤１７の下方に設けられた特別入賞装置２１の入賞口２１ａが開放され、多数の賞球の獲得が可能となる。
【００４９】
前記図柄表示装置１３で展開される図柄変動ゲームの演出に応じて、前記可動演出装置３１が作動制御されて、前記可動体３４が作動されて動的な演出により遊技の興趣が高められる。また、可動体３４に配設されている前記発光基板５４のＬＥＤ５４ａが、図柄変動演出に応じて発光制御されて、可動体３４を構成する前記明輝部材５６の透明部６４を明輝する演出により遊技の興趣が向上される。
【００５０】
前記可動演出装置３１における可動体３４の動作について、更に詳細に説明する。前記駆動モータ３５の停止時(非通電時)に、前記可動基部４０の検知片４９が検知手段４８で検知されている第１位置で停止している(図２,図３,図５参照)。この状態で駆動モータ３５を正転方向に駆動すると、前記駆動歯車３９とラック歯４２ａとの噛合作用によって前記可動部材３３は、第１ローラ４３と前ガイド溝３７ａ、ラック部４２と後ガイド溝３６ａおよび長孔４０ｂと案内突部３７ｃとで夫々案内されて左方に向けて直線的に移動を開始する。可動部材３３の移動に伴い、前記作動部材４７の第２ローラ５０が前記案内溝５１に沿って移動することで、該作動部材４７が可動部材３３に対して遊技盤１７の盤面に沿う上下方向に移動することで、該作動部材４７に枢支されている前記可動体３４も遊技盤１７の盤面に沿う上下方向に移動する。
【００５１】
すなわち、前記可動部材３３が第１位置から第２位置に向けて移動する際には、案内溝５１における第１、第２および第３上向き傾斜部５１ｂ,５１ｄ,５１ｆを第２ローラ５０が移動することで作動部材４７および可動体３４は上方に向けて移動するのに対し、案内溝５１における第１および第２下向き傾斜部５１ｃ,５１ｅを第２ローラ５０が移動することで作動部材４７および可動体３４は下方に向けて移動する。そして、第１上向き傾斜部５１ｂと第２上向き傾斜部５１ｄとの間に第１下向き傾斜部５１ｃが位置すると共に、第２上向き傾斜部５１ｄと第３上向き傾斜部５１ｆとの間に第２下向き傾斜部５１ｅが位置するよう案内溝５１が形成されているから、可動部材３３が第１位置から第２位置に向けて移動する際には、可動体３４は上下動を繰り返しながら徐々に上昇するように位置が変化する。
【００５２】
前記作動部材４７が上昇する際には、前記可動体３４の揺動ピン６１が可動部材３３の揺動用溝５２に沿って移動することで、該可動体３４は、前記枢支軸５３を中心として、揺動用溝５２の各傾斜部５２ｂ,５２ｃの傾斜に応じて左右方向に積極的に揺動される。すなわち、前記可動部材３３が第１位置から第２位置に向けて移動する際には、可動体３４は上下動を繰り返しながら徐々に上昇すると共に左右方向にも揺動する動作を行なう。そして、前記可動部材３３が第２位置から第１位置に向けて移動する際には、第１位置から第２位置に向けて移動する際とは逆に、可動体３４は上下動を繰り返しながら徐々に下降すると共に左右方向に揺動する動作も行なう。
【００５３】
また、前記案内溝５１を移動する係合ピン４７ｃ(第２ローラ５０)の移動の方向が変わるタイミングで、揺動用溝５２を移動する揺動ピン６１の移動の方向も変わるように、案内溝５１と係合ピン４７ｃおよび揺動用溝５２と揺動ピン６１との位置関係が設定されているので、可動体３４に興趣のある動きを与えることができる。具体的には、可動体３４の動きが上昇から下降または下降から上昇に変わる際に、可動体３４の揺動方向が変わることで、該可動体３４が恰もふらついているような動きを表現することができる。
【００５４】
このように、前記可動演出装置３１では、前記可動部材３３を左右方向に直線的に往復移動させるだけで、前記可動体３４を上下方向に移動させたり左右方向に揺動することができ、可動体３４に複雑な動きを与えて演出効果を向上し得る。しかも、前記案内溝５１は、一端部から他端部に向けて直線的に傾斜するものではなく、途中に複数の下向き傾斜部５１ｃ,５１ｅを形成しているから、各下向き傾斜部５１ｃ,５１ｅを前記第２ローラ５０が移動する際には可動体３４の動作に変化を与えることができ、可動体３４が斜め上方または下方に直線的に移動する形態に比べて面白みのある演出ができる。また、前記駆動モータ３５によって可動部材３３を往復移動させるだけで、可動体３４に複数の動作を行なわせ得るから、興趣のある演出を少ない部品で実施し得ると共に、製造コストを低廉にし得る。更に、駆動モータ３５で移動させる可動部材３３に、可動体３４に別の動きをさせるための別のモータを配設する必要はないから、該駆動モータ３５で移動させる部材全体の軽量化を図ることができ、駆動モータ３５の負荷軽減を図り、ランニングコストを低減し得る。更にまた、図５に示すように、前記装置本体３２に形成した案内溝５１に第２ローラ５０を係合させる簡単な構成で、可動体３４を可動部材３３の移動方向と直交する方向に移動させるようにしたので、リンク機構等の複雑な機構を用いることなく構造を簡略化して製造コストを低廉に抑えることができる。
【００５５】
前記可動体３４は、可動部材３３や作動部材４７の動作による惰性で揺動するものではなく、揺動用溝５２と揺動ピン６１との係合作用によって積極的に揺動するよう構成しているので、該可動体３４を確実に揺動させ得ると共に、可動体３４の動きを制御して意図しない動きによって該可動体３４が他部材と干渉するのを防止することができる。但し、揺動用溝５２に対して揺動ピン６１に外嵌したスリーブ６１ａは遊挿されて、該スリーブ６１ａと揺動用溝５２との間には僅かではあるが隙間があるので、揺動用溝５２にスリーブ６１ａを介して係合していても可動体３４は若干揺動可能(他部材と干渉するおそれのない範囲での揺動が可能)である。従って、揺動用溝５２における直線部５２ａ,５２ｄを揺動ピン６１が移動する際にも、可動部材３３および作動部材４７の動作によって若干ではあるが可動体３４は揺動し、該可動体３４が恰も制御されていない不安定な状態で移動する演出を行なうことができる。
【００５６】
前記可動体３４は、図２および図３に示す如く、前記可動部材３３が第１位置と第２位置との間を移動する際には、前記図柄表示装置１３の表示部１３ａに対して下縁部側を左右方向に移動しつつ表示部１３ａの中央部に対して該表示部１３ａの前側を上下動するので、表示部１３ａで行なわれている図柄変動演出と相俟って、演出効果を向上することができる。また、可動体３４を構成する前記明輝部材５６の中間部６４は全周が透明であるので、表示部１３ａの前側に移動した可動体３４の透明部(中間部)６４を透かして表示部１３ａでの表示が前側から見え、可動体３４の複雑な動作と、該可動体３４に重なる表示部１３ａの表示とによって、より演出効果を向上し得る。
【００５７】
次に、前記可動体３４で行なわれる発光演出の作用について、更に詳細に説明する。前記可動体３４の内部に配設した発光基板５４のＬＥＤ５４ａを発光して前記第１反射部材６５に向けて光を照射すると、該第１反射部材６５で反射した光が前記第２反射部材６８に向けて照射される。そして、上下の反射部材６５,６８間で光が反射を繰り返すことで、該光が両反射部材６５,６８の間に位置する明輝部材５６の透明部６４を内側から照らすことで該透明部６４が明輝する。実施例の明輝部材５６は、上下の反射部材６５,６８の間に位置する部位の全周が透明部６４で構成してあるから、該透明部６４が明輝することで発光演出の効果が向上する。また、第２反射部材６８の反射面には光拡散処理が施されているから、第１反射部材６５で反射した光を第２反射部材６８で拡散することで、前記透明部６４の全体をより均一に明輝させることができる。更に、発光基板５４のＬＥＤ５４ａと明輝部材５６における透明部６４との関係は、複数のＬＥＤ５４ａを、これらＬＥＤ５４ａを囲繞している透明部６４と同心の仮想円上に配置したから、各ＬＥＤ５４ａと径方向外側に位置する透明部６４との離間間隔は同一となっており、透明部６４の全体を均一に明輝させ得るものである。
【００５８】
前記可動体３４の発光基板５４は、図６および図７に示す如く、前記明輝部材５６における透明部６４と対向するよう配置されておらず、発光基板５４のＬＥＤ５４ａからの光を透明部６４に直接照射しないよう構成してあるから、透明部６４においてＬＥＤ５４ａの光が点光となるのを防止して該透明部６４を均等に明輝し得る。また、発光基板５４は、透明な明輝部材５６の内部でなく、図６および図７に示すように、非光透過性の本体部５５の収容室６０に収容されているから、前記透明部６４を介して発光基板５４やＬＥＤ５４ａが視認されるのを抑制することができる。すなわち、パチンコ機のモチーフに合致する透明な部材を、遊技の興趣を低下させることなく採用し得る。更に、実施例では光拡散処理を施した第２反射部材６８で、発光基板５４における透明部６４側の上面を覆っているから、該光拡散処理によって発光基板５４はより見え難くなっている。更にまた、発光基板５４におけるＬＥＤ５４ａの配設面から第２反射部材６８を離間し、ＬＥＤ５４ａ自体を第２反射部材６８の下側に位置させることで、ＬＥＤ５４ａを可動体３４の外側からより視認し難くして、見栄えの低下を抑制し得る。
【００５９】
前記発光基板５４および第１反射部材６５との反対向面は、非光透明性の本体部５５および蓋部材５７で覆われているから、発光基板５４の下方および第１反射部材６５の上方から光が洩れるのを防ぐことができ、第１反射部材６５と第２反射部材６８との間に位置する透明部６４のみを効果的に明輝し得る。また、発光基板５４に対してフラットケーブル６９は、図６に示す如く、前記作動部材４７に対して本体部５５が配設される側で接続されるから、該フラットケーブル６９を明輝部材５６の内部に引き回すことなく本体部５５から前記腕部４１を介して装置本体３２の内部に引き出すことができる。従って、発光基板５４に接続するフラットケーブル６９が明輝部材５６の透明部６４を透かして見えてしまうことはなく、見栄えが低下するのを防止し得る。
【００６０】
(変更例)
本願は、前述した実施例の構成に限定されるものではなく、その他の構成を適宜に採用することができる。
(1) 実施例では、遊技盤を木製の板部材から構成したが、アクリル等の透明な材料で形成した透明板から構成したものであってもよい。
(2) 実施例では、可動部材を直線的に移動させる機構としてラック−ピニオン機構を用いたが、可動部材に連結した無端ベルトを駆動モータで走行する機構等、その他各種の機構を採用し得る。
(3) 実施例では、可動演出装置を表示部の下辺側に配設したが、上辺側あるいは左右の各辺側に配設したものであってもよく、その配設位置が限定されるものではない。そして、可動演出装置の配設位置に応じて、可動部材を対応する辺(可視部の端部側)に沿って直線的に往復移動させるのに対し、作動部材に配設された可動体を該辺と直交する方向に移動させるようにすればよい。また、可動体に配設される発光基板は、可動演出装置の配設位置に応じて、ＬＥＤからの光の照射方向が下方あるいは側方となる姿勢で配設すればよい。
(4) 実施例では、案内溝における段部(下向き傾斜部)の数を２つの場合で説明したが、該段部の数は１つまたは３つ以上であってもよい。
(5) 実施例では、揺動用溝における傾斜部の数を２つの場合で説明したが、該傾斜部の数は１つまたは３つ以上であってもよい。
(6) 実施例では、揺動用溝における上下の直線部を通る鉛直線に対して左右方向の一方の側(図５では左側)に傾斜部を形成するよう構成したが、該鉛直線に対して左右両側に傾斜部を設け、枢支軸を中心として可動体の下部が鉛直線を挟む左右両側に変位するように揺動させる構成を採用し得る。
(7) 実施例では、係合ピンに回転可能に取付けた第２ローラを案内溝に挿入して移動するよう構成したが、係合ピンを案内溝に直接挿入して移動する構成を採用し得る。但し、回転可能なローラを用いる場合は、よりスムーズな移動が図り得るので好適である。
(8) 実施例では、揺動ピンに回転可能に取付けたスリーブを揺動用溝に挿入して移動するよう構成したが、揺動ピンを揺動用溝に直接挿入して移動する構成を採用し得る。但し、回転可能なスリーブを用いる場合は、よりスムーズな移動が図り得るので好適である。
(9) 実施例では、明輝部材における中間部の全周を透明としたが、該中間部における周方向の一部または複数箇所に透明部を設けたものであってもよい。
(10) 実施例では、第２反射部材の反射面にのみ光拡散処理を施した場合で説明したが、第１反射部材の反射面にのみ光拡散処理を施したり、あるいは両反射部材の反射面に夫々光拡散処理を施す構成を採用し得る。なお、光拡散処理とは、反射面に直接加工を施すことに限らず、光拡散効果のあるフィルムやシート等を反射面に貼付することを含む。
(11) 遊技機としては、パチンコ機に限られるものではなく、アレンジボール機やパチンコ球を用いたスロットマシン等、その他各種の遊技機であってもよい。
【符号の説明】
【００６１】
１３  図柄表示装置
１３ａ  表示部
１７  遊技盤
１７ａ  遊技領域
２４ａ  窓口(可視部)
３１  可動演出装置
３２  装置本体
３３  可動部材
３４  可動体
３５  駆動モータ(駆動手段)
４１  腕部
４７  作動部材
４７ｃ  係合ピン(作動機構)
５１  案内溝(作動機構)
５１ｃ  第１下向き傾斜部(段部)
５１e  第２下向き傾斜部(段部)
５２  揺動用溝
６０  収容室
６１  揺動ピン
【図１】
0005538190.tif 000002
【図２】
0005538190.tif 000003
【図３】
0005538190.tif 000004
【図４】
0005538190.tif 000005
【図５】
0005538190.tif 000006
【図６】
0005538190.tif 000007
【図７】
0005538190.tif 000008
【図８】
0005538190.tif 000009
【図９】
0005538190.tif 000010
【図１０】
0005538190.tif 000011
【図１１】
0005538190.tif 000012
【図１２】
0005538190.tif 000013